(57)【要約】  【課題】  外来電磁ノイズの影響やその変化に対して金属検出の条件設定を自動的に好適な条件に調整可能な金属検出装置を提供する。  【解決手段】  磁界発生手段２２の発生磁界の強度レベルを通常検出動作の磁界強度レベルである第１の強度レベルとこのレベルより低い第２の強度レベルとのうち任意の一方の磁界強度レベルに切り替える磁界制御手段３１と、磁界発生手段２２の発生磁界が第２の強度レベルとなっている状態で、磁界発生手段２２の設定周波数を被検査体Ｗの物品影響に対応して定めた周波数範囲内で変化させ、その設定周波数のそれぞれに対応する検出動作周波数について検査領域中の電磁ノイズを測定する測定手段４０と、測定手段４０で測定された電磁ノイズレベルが所定値以下となるいずれかの検出動作周波数を選択し磁界発生手段２２の設定周波数として設定する周波数選択設定手段３２、３５とを設ける。【選択図】  図１
2006064642.tif 000002
【特許請求の範囲】
【請求項１】
被検査体の物品影響に対応して予め定められた周波数範囲に含まれる設定周波数の交番磁界を被検査体の検査領域（１２）に発生させる磁界発生手段（２２）と、
前記被検査体が前記交番磁界中を通過することに起因する前記交番磁界の変動を前記設定周波数に対応する検出動作周波数で検出する磁界検出手段（２３）と、
該磁界検出手段の検出信号に基づいて前記被検査体中における金属物又は金属成分の有無を判定する判定手段（２６）とを備えた金属検出装置において、
前記磁界発生手段の発生磁界の強度レベルを通常検出動作の磁界強度レベルである第１の強度レベルと該第１の強度レベルより低い第２の強度レベルとのうち任意の一方の磁界強度レベルに切り替える磁界制御手段（３１）と、
前記磁界発生手段の発生磁界が前記第２の強度レベルとなっている状態で、前記磁界発生手段の前記設定周波数を前記周波数範囲内で変化させ、該設定周波数のそれぞれに対応する複数の異なる前記検出動作周波数について前記検査領域中の電磁ノイズを測定する測定手段（４０）と、
前記複数の異なる検出動作周波数のうち前記測定手段で測定された電磁ノイズレベルが所定値以下となるいずれかの周波数を選択し前記磁界発生手段の前記設定周波数として設定する周波数選択設定手段（３２、３５）と、を設けたことを特徴とする金属検出装置。
【請求項２】
前記測定手段が、前記磁界検出手段を用いて前記検査領域中の電磁ノイズを測定することを特徴とする請求項１に記載の金属検出装置。
【請求項３】
前記周波数選択設定手段が、前記複数の異なる検出動作周波数のうち前記測定手段で測定された電磁ノイズレベルが最低値となる周波数を選択し前記磁界発生手段の前記設定周波数として設定することを特徴とする請求項１又は２に記載の金属検出装置。
【請求項４】
前記周波数選択設定手段が、前記複数の異なる検出動作周波数のうち前記測定手段で測定された電磁ノイズレベルが予め定めた許容ノイズレベル以下となる周波数を選択し前記磁界発生手段の前記設定周波数として設定することを特徴とする請求項１又は２に記載の金属検出装置。
【請求項５】
前記第２の強度レベルは前記第１の強度レベルの１／５以下であることを特徴とする請求項１〜４のいずれかに記載の金属検出装置。
【請求項６】
前記磁界制御手段、前記測定手段および前記周波数選択設定手段が、装置の起動時若しくは動作リセット時に作動することを特徴とする請求項１〜５のいずれかに記載の金属検出装置。
【発明の詳細な説明】
【技術分野】
【０００１】
本発明は、被検査体中の金属又は金属成分を検出する金属検出装置、特に食品等の被検査体が交番磁界中を通過するときの磁界の変動を基に被検査体中における金属又は金属成分の有無を判定する金属検出装置に関する。
【背景技術】
【０００２】
従来のこの種の金属検出装置としては、例えばコンベア搬送されるワーク（被検査体）が所定周波数の交番磁界中を通過するように、送信コイルにより製品検査領域に交番磁界を発生させ、その磁界中でのワークの移動に起因する磁界変動を受信コイルへの誘起電圧の変動として検出し、この検出信号に送信コイルの励磁駆動信号と同期する検波処理を施して、その検波出力の出力レベルを閾値判定することで金属等の有無を判定するといったものが一般に知られている。
【０００３】
また、金属や金属成分を含んでいない物品が前記交番磁界中を移動することにより前記磁界変動に与える影響（以下、これを物品影響という）を最小にし、検出対象の金属異物等に対する検出感度を高めるべく、前記検波処理の位相角や交番磁界周波数の設定を工夫したものがある（例えば特許文献１、２参照）。
【０００４】
さらに、受信コイルの検出信号を直交検波した２つの検波出力の出力レベルを直交座標成分として各被検査体が前記交番磁界中を通過する間に直交座標平面に描かれるリサージュ図形を作成し、この図形データを基に各製品中の磁性成分と非磁性成分の割合を把握して製品中の金属異物の有無を判定するとともに、前記割合を表わす指標であるワーク位相（前記リサージュ図形の長軸の傾きで表わされる）の変化に応じて、送信コイルに印加する励磁信号と直交検波用の各同期検波器に印加する励磁信号との相対位相を調整することで、検出精度の向上を図ったものがある（例えば特許文献３参照）。
【特許文献１】特開平５−２３２２４８号公報
【特許文献２】特開平５−１０００４７号公報
【特許文献３】特開２００２−１６８８３４号公報
【発明の開示】
【発明が解決しようとする課題】
【０００５】
上述のように交番磁界の変動を検出する金属検出装置では、金属を検出するのに最適な磁界の周波数が、被検査体の特性（水分や塩分あるいは包材の種類等）によって異なるという点を考慮して、磁界周波数範囲である数ｋＨｚ〜数ＭＨｚ程度の周波数帯域から被検査体に適当な周波数帯域を１つあるいは２つ選択して出力するのがよい。
【０００６】
また、同じ周波数帯域を使用した複数の金属検出装置が近接配置される際に、相互の干渉を抑えるべく、それら複数の金属検出装置の使用磁界周波数を少しずつ異ならせるような微調整を行なうのがよい。
【０００７】
しかしながら、このようにして最適な磁界周波数を設定しても、なお、次のような未解決の課題が残る。
【０００８】
すなわち、金属検出装置では、例えば磁界周波数等の検出条件を決定するために使用する、金属混入の無い代表的被検査体（以下、これをサンプル品という）の物品影響による検出信号レベルＮ（noise）を予め記憶しておき、各被検査体の検出信号レベルＳ(signal)とこの記憶した検出信号レベルＮとのレベル比Ｓ／Ｎが予め定めた閾値（例えば５）以上のとき、その被検査体を金属混入品と判定する。そのため、より小さな金属が混入していて検出信号Ｓが小さい場合、被検査体を正しく金属混入品と判定するためには、サンプル品の物品影響による検出信号レベルＮを小さくしなければ、十分なＳ／Ｎの比が得られない。
【０００９】
一方、被検査体の形状や水分含有率の変化に起因して物品影響が変化するような場合にも、その物品影響の変化に追従して良好な検出感度を維持しながら安定した金属検出を行なうためには、金属が混入していない被検査体（良品）の検出レベルが検出信号のノイズレベル以上であるのがよい（特許文献３参照）。したがって、サンプル品の物品影響による検出信号レベルが小さくなるような状態で、近接する他の金属検出機若しくは包装機器等による外来電磁ノイズの影響を受け、検出信号レベルを超えるノイズが検出されると、前記物品影響の変化を検知できないために金属検出性能が低下するばかりか、金属が混入していない被検査体を金属混入品と誤判定したり、逆に本来であれば検出可能な金属混入品を良品と誤判定したりすることがあり、金属検出装置の信頼性が大きく低下せざるを得ない。
【００１０】
さらに、金属検出機の使用条件の変更や使用環境の変化、さらには、経時・経年変化等によっても、外来電磁ノイズの影響は変化する可能性が高い。このような理由から、外来電磁ノイズによる金属検出装置の性能低下が生じ易いという問題が解決できていなかった。
【００１１】
本発明は、かかる従来技術の問題を解決するためになされたもので、外来電磁ノイズの影響やその変化に対して金属検出の条件設定を自動的に好適な条件に調整可能な金属検出装置を提供することを目的とする。
【課題を解決するための手段】
【００１２】
本発明は、上記目的達成のため、被検査体の物品影響に対応して予め定められた周波数範囲に含まれる設定周波数の交番磁界を被検査体の検査領域に発生させる磁界発生手段と、前記被検査体が前記交番磁界中を通過することに起因する前記交番磁界の変動を前記設定周波数に対応する検出動作周波数で検出する磁界検出手段と、該磁界検出手段の検出信号に基づいて前記被検査体中における金属物又は金属成分の有無を判定する判定手段とを備えた金属検出装置において、前記磁界発生手段の発生磁界の強度レベルを通常検出動作の磁界強度レベルである第１の強度レベルと該第１の強度レベルより低い第２の強度レベルとのうち任意の一方の磁界強度レベルに切り替える磁界制御手段と、前記磁界発生手段の発生磁界が前記第２の強度レベルとなっている状態で、前記磁界発生手段の前記設定周波数を前記周波数範囲内で変化させ、該設定周波数のそれぞれに対応する複数の異なる前記検出動作周波数について前記検査領域中の電磁ノイズを測定する測定手段と、前記複数の異なる検出動作周波数のうち前記測定手段で測定された電磁ノイズレベルが所定値以下となるいずれかの周波数を選択し前記磁界発生手段の前記設定周波数として設定する周波数選択設定手段とを設けたものである。
【００１３】
この構成により、磁界発生手段の発生磁界強度が通常検出動作時より低い第２の強度レベルとなっている状態で、外来電磁ノイズの影響が複数の異なる検出動作周波数について測定され、外来電磁ノイズの影響が小さくなる周波数を選択して磁界発生手段の発生磁界周波数が設定されるとともに、それに対応する検出動作周波数が設定されることになる。なお、外来電磁ノイズ測定に際して磁界発生手段の発生磁界強度を第２の強度レベルに切り替えるのは、近接配置された金属検出装置が共に動作するとき、通常の磁界強度を発生させながらその磁界周波数を変化させていくと、動作している他の金属検出装置の磁界周波数とほぼ一致したときに一時的にでもその検出に影響を及ぼしてしまい、金属が混入していない良品を金属混入品と誤判定してしまうようなことが生じるからであり、他の金属検出装置に誤判定を生じさせない発生磁界強度レベルにするためである。
【００１４】
また、本発明の金属検出装置においては、前記測定手段が、前記磁界検出手段を用いて前記検査領域中の電磁ノイズを測定することで、既存の装備を利用して、前記測定手段をきわめて容易かつ低コストで実現できることになる。
【００１５】
さらに、前記周波数選択設定手段が、前記複数の異なる検出動作周波数のうち前記測定手段で測定された電磁ノイズレベルが最低値となる周波数を選択し、前記設定周波数として設定するか、あるいは、前記周波数選択設定手段が、前記複数の異なる検出動作周波数のうち前記測定手段で測定された電磁ノイズレベルが予め定めた許容ノイズレベル以下となる周波数を選択し前記設定周波数として設定するのが好ましい。
【００１６】
この構成により、外来電磁ノイズの影響による金属検出性能の低下を確実に抑えることが可能となる。
【００１７】
本発明の金属検出装置においては、また、前記第２の強度レベルは前記第１の強度レベルの１／５以下であるのがよい。これにより、他の金属検出装置の誤判定を確実に防止することができる。ここにいう第１の強度レベルの１／５以下には、磁界発生手段の送信出力を停止した状態、すなわち、その発生磁界強度が実質的にゼロである場合を含むが、磁界発生手段を完全に停止させなくともよい。
【００１８】
本発明の金属検出装置においては、前記磁界制御手段、前記測定手段および前記周波数選択設定手段が、装置の起動時若しくは動作リセット時に作動するようにするのが好ましい。これにより、初期化処理の一部と並行して外来電磁ノイズの影響測定および好適な発生磁界周波数およびこれに対応する検出動作周波数の選択設定が可能となる。
【発明の効果】
【００１９】
本発明によれば、外来電磁ノイズの影響を複数の異なる検出動作周波数について測定して、外来電磁ノイズの影響が十分小さくなる周波数を選択し前記設定周波数として設定するようにしているので、使用環境の変化等に関わりなく、外来電磁ノイズの影響を少なくするよう金属検出の条件設定を自動的に好適条件に調整可能な金属検出装置を提供することができる。
【発明を実施するための最良の形態】
【００２０】
以下、本発明の実施の形態について、図面を用いながら説明する。
【００２１】
[第1の実施の形態]
図１〜図５は本発明の第１の実施の形態に係る金属検出装置の概略構成を示す図である。
【００２２】
まず、その構成について説明する。
【００２３】
図１において、被検査体であるワークＷは、ワーク移動手段であるコンベア１１によって所定方向に搬送され、その搬送速度はワークＷの製造ラインの搬送速度に応じて設定されている。ワークＷの搬送方向の所定区間は、ワークＷ中への金属異物（金属からなる異物又は金属成分を含んだ異物、欠品検出の場合は異物でなく構成要素となる）の検出を行なう検査領域１２となっており、この検査領域１２の入り口付近にはワークＷの検査領域１２への進入を検知する例えば光学式のワーク検知センサ１３が設置されている。なお、ワークＷは、複数製造される任意の製品、例えば量産される食品を包装材で個々に、あるいは所定数の輸送時の個数単位で包装したものであり、箱入り製品のような定形のものでも、流動物等を封入した可撓性の袋入り製品のような不定形のものでよい。
【００２４】
ワークＷの検査領域１２の近傍にはワークＷ中の金属異物を検出する検出部２０が設けられている。
【００２５】
この検出部２０は、予め設定された振幅および周波数の送信信号を発生する信号発生部２１と、信号発生部２１からの信号により送信コイルを電流駆動する磁界発生部２２（磁界発生手段）と、差動検出器等で構成される磁界検出部２３とを含んで構成されている。
【００２６】
詳細は図示しないが、信号発生部２１は、ワーク検知センサ１３に応動する基準信号発生器、測定期間を特定するためのタイマー、電力増幅器、同調回路等を有しており、ワークＷが検査領域１２を通過するとき、設定周波数の送信信号を発生して磁界発生部２２の送信コイルを電流駆動する。また、磁界発生部２２の送信コイルは、コンベア１１によるワーク搬送路の近傍に配置され、信号発生部２１からの電流駆動により励磁されたとき、前記送信信号の設定周波数に対応する交番磁界を検査領域１２中に発生させることができる。
【００２７】
磁界検出部２３は、信号発生部２１および磁界発生部２２と協働して複数のワークＷ（被検査体）について、そのワークＷ中の金属異物を検出するようになっており、差動接続された一対の受信コイル、同調回路および増幅器等からなる。この磁界検出部２３は、磁界発生部２２からの交番磁界のみに対しては一対の受信コイルの誘起電圧が等しく平衡し、両者の差動出力がゼロになるように調整されている。
【００２８】
磁界中を通過する磁性金属には磁束密度の大きさに比例してより多くの磁束が引き寄せられ、磁界中を通過する非磁性金属にはその移動による磁束密度の変化を打ち消すような向きでうず電流が生じ、ジュール熱が消費されるという性質がある。したがって、コンベア１１上のワークＷが検査領域１２を通過するとき、磁界検出部２３の受信コイル間の出力の平衡状態がくずれる。
【００２９】
磁界検出部２３は、このようにコンベア１１上のワークＷの移動により両受信コイル間の出力平衡状態がくずれたとき、その磁界の変化に応じた検出信号を出力する。この検出信号は、磁界発生部２２側からの交番磁界に対応して前記送信信号の設定周波数を有する交流信号成分に、ワークＷの磁界通過により変化する低周波信号成分が重畳した信号形態となる。
【００３０】
磁界検出部２３の検出信号は信号レベル測定部２４に取り込まれるようになっており、この信号レベル測定部２４は、詳細は図示しないが、直交検波を行なう一対の同期検波器、移相器、バンドパスフィルタ、増幅器およびＡ／Ｄ変換器等によって構成されている。
【００３１】
信号レベル測定部２４の一対の同期検波器は、直交検波のために前記基準信号を位相調整した信号を取り込み、検出信号から送信信号相当の高周波成分を取り除いた検波出力を生成する。信号レベル測定部２４は、この検波出力に更にフィルタによるノイズ除去およびＡ／Ｄ変換を施した信号を金属有無判定部２６と検出条件制御回路３０とにそれぞれ出力する。
【００３２】
なお、前記直交検波の出力は、例えば、磁束密度変化が大きいほど外部磁界変化を引き起こす非磁性金属の影響が大きい検出信号と、磁束密度が大きいほど外部磁界変化を引き起こす磁性金属の影響の大きい検出信号となる。また、信号レベル測定部２４から出力される低周波成分の検出信号は、差動検出信号の所定位相位置の瞬時値を結ぶ包絡線の波形、および前記所定位相位置から送信信号周期の１／４周期分、つまり９０度だけ位相がずれた瞬時値を結ぶ包絡線の波形を形成するものとなる。
【００３３】
一方、検出条件制御回路３０は、検出部２０の検出信号および図示しない操作器からのユーザーの操作入力に基づいて所定の制御プログラムに従った演算処理を実行し、その処理結果を信号発生部２１および磁界検出部２３にそれぞれ出力するようになっている。
【００３４】
検出条件制御回路３０は、例えばＣＰＵ、ＲＡＭ、ＲＯＭおよびＩ／Ｏインターフェースを含むマイクロコンピュータで構成されたもので、ＲＯＭ内に格納された制御プログラムをＲＡＭとの間でデータの授受を行ないながらＣＰＵにより実行し、Ｉ／Ｏインターフェースを介して取り込んだ信号レベル測定部２４からの信号等に基づいて、後述する処理を実行するようになっており、機能的には、図１に示す振幅設定手段３１、検出周波数設定手段３２、磁界検出部制御手段３３、記憶手段３４および検出周波数選択手段３５を実現するものである。
【００３５】
信号発生部２１の発生信号の振幅は振幅設定手段３１により設定され、信号発生部２１の送信信号の設定周波数は検出周波数設定手段３２により設定される。
【００３６】
ここで、振幅設定手段３１は、信号発生部２１と共に、磁界発生部２２の発生磁界の強度レベルを通常検出動作の磁界強度レベルである第１の強度レベルと、その第１の強度レベルより低い第２の強度レベルとのうち任意の一方の磁界強度レベルに切り替える磁界制御手段として機能し得る。また、検出周波数設定手段３２は、通常検出時の磁界発生部２２の発生磁界周波数を規定すべく信号発生部２１の設定周波数（発生信号周波数）を設定する機能と、磁界検出部制御手段３３を介して磁界検出部２３の検出動作周波数を設定する周波数選択設定手段の機能とを有している。
【００３７】
前記第１の強度レベルとは、通常の金属検出動作を行なう際に磁界発生部２２で発生される範囲の磁界強度レベルであり、前記第２の強度レベルは、例えばその第１の強度レベルの１／５以下の磁界強度レベル（近接して配置されている金属検出機に対して影響を及ぼさない磁界強度レベルに相当する）である。第２の強度レベルは、好ましくは、例えば信号発生部２１から磁界発生部２２への送信信号出力を停止し、磁界発生部２２による磁界の発生を停止した状態、すなわち発生磁界強度が通常の残留値レベル程度で実質的にゼロ（Ａ／ｍ）と言えるレベルである。
【００３８】
磁界検出部制御手段３３は、磁界検出部２３の検波器に検波クロック信号を供給するとともに検出周波数設定手段３２からの設定周波数情報に基づいて、その検波クロック信号の周波数および位相（信号発生部２１の基準信号に対する位相差）を調整する機能を有しており、磁界発生部２２の作動の有無（磁界発生の有無）に関係なく、磁界検出部２３の検出動作周波数を規定することができる。
【００３９】
記憶手段３４はＲＡＭ又は他の書き換え可能なメモリデバイスで構成されており、通常動作時の検出動作周波数をはじめとして、金属検出に関する各種設定情報や信号レベル測定部２４での測定結果のデータを一時的に格納することができる。
【００４０】
検出周波数選択手段３５は、検出周波数設定手段３２、磁界検出部制御手段３３および信号レベル測定部２４と共に測定手段４０を構成しており、この測定手段４０は、磁界発生部２２の発生磁界が前記第２の強度レベルとなっている状態で、磁界検出部２３の複数の異なる検出動作周波数で、検査領域１２中の電磁ノイズを測定するようになっている（詳細は後述する）。
【００４１】
また、検出周波数選択手段３５は、検出周波数設定手段３２および磁界検出部制御手段３３と協働して、前記複数の異なる検出動作周波数のうち測定手段４０で測定された電磁ノイズレベルが所定値以下となるいずれかの周波数を選択し、磁界発生部２２の設定周波数およびそれに対応する磁界検出部２３の検出動作周波数（検波周波数）を設定する周波数選択設定手段となっている。
【００４２】
ところで、金属有無判定部２６は、検査領域１２に搬送された各ワークＷの検出信号振幅レベルを予め定めた閾値レベルと比較し、ワークＷ中に金属異物が含まれているか否か、すなわち製品としての合否を公知の判定方法で判定して、その判定結果を表示部２７に出力する判定手段となっている。この金属有無判定部２６は、併せて、コンベア１１の検査領域１２より下流側に設けられた選別部２８に対し、不良品を良品と分けるための選別指令信号を出力するようになっている。
【００４３】
次に、動作について説明する。
【００４４】
金属検出装置の起動時には、電源投入により、制御系の初期化と設定データの読込等が実行され、例えば磁界発生部２２で発生する送信信号の振幅や設定周波数が決定され、これに応じた交番磁界が磁界発生部２２から発生されることになるが、この起動に際して、本実施形態では、次に述べるような動作周波数設定処理が実行される。
【００４５】
図２は、その動作周波数設定処理の概略の手順を示すフローチャートである。
【００４６】
同図において、まず、最初に金属検出機の動作状態が、起動ボタンが押された直後の初期設定中であるか又はリセットボタンが操作された後の再設定中であるかがチェックされ（ステップＳ１）、そのいずれかの場合であれば（ステップＳ１でＹＥＳの場合）、次いで、今回の動作周波数設定処理の後で検査されるワークＷ（被検査物）の種別情報がユーザーによる設定入力又は既設定データから把握されて取得され（ステップＳ２）、そのワークＷに関連する各種設定パラメータ等が記憶手段３４その他のメモリデバイスから読み込まれる（ステップＳ３）。次いで、磁界発生部２２の磁界発生強度が第２の強度レベル（通常動作レベルの１／５以下、例えば実質的に出力ゼロのレベル）に設定される（ステップＳ４）。これにより、検査領域１２中への磁界発生部２２からの磁界の影響が十分に弱く、検査領域１２中への外来の電磁ノイズの影響測定が可能な状態となる。
【００４７】
次いで、ワークＷの種別情報に基づいて、ワークＷ中の金属検出に適した磁界周波数の範囲、すなわち周波数帯域が設定されるとともに、その範囲中で動作周波数設定処理のための一時的な検出動作周波数である複数の検査周波数、例えばｆ１〜ｆｎ（ｎは１以上の整数）が設定される（ステップＳ５）。
【００４８】
具体的には、ワークＷの特性（水分や塩分あるいは包材の種類等）に応じて、そのワークＷ中の金属検出に適した周波数帯域が、数ｋＨｚ〜数ＭＨｚの範囲で、１つあるいは複数選択される。そして、その検査周波数帯域で特定される測定範囲において、例えば使用して好ましい周波数順に検査周波数が選択されて、その検査周波数で検査領域１２中への外来電磁ノイズのノイズレベルが測定され（ステップＳ６）、測定結果が記憶手段３４に一時的に記憶される（ステップＳ７）。
【００４９】
ここでの検査周波数の設定間隔は、検出部２０における周波数安定度（例えばディジタル直接合成シンセサイザの確度や温度特性など）を基に決定され、検査周波数の設定範囲は、同調回路のＱ（周波数選択性の良さを表わす同調特性値）に基づいて決定される。具体的には、全周波数帯を数ｋＨｚ〜数ＭＨｚの範囲のうち複数の周波数帯とし、例えば１ＭＨｚ帯に対応する同調回路のＱの値が１００であれば、１ＭＨｚ帯における最適周波数サーチの帯域幅（＝ｆ／Ｑ）は１０ｋＨｚといった形で設定されており、複数の周波数帯の全部又はワークＷに好適な特定の周波数帯が検査周波数として選択される。
【００５０】
次いで、今回の測定結果が許容ノイズレベル判定のための閾値である所定値の電磁ノイズレベル以下となっているか否かが判別され（ステップＳ８）、所定値以下の磁界ノイズレベルであれば（ステップＳ８でＹＥＳの場合）、今回の検査周波数をそのまま選択して、これを以後の動作中における前記設定周波数およびこれに対応する前記検出動作周波数（図中では、両周波数を総称して動作周波数という）の設定値とする（ステップＳ１１）。
【００５１】
今回の測定結果が所定値以下の磁界ノイズレベルでなければ（ステップＳ８でＮＯの場合）、次いで、今回の検査周波数が予め定められた測定順の周波数のうち最後の周波数、例えば周波数ｆｎであったか否かがチェックされ（ステップＳ９）、最後の周波数でなければ（ステップＳ９でＮＯの場合）、ステップＳ５に戻って次の検査周波数の設定を行ない、その検査周波数で再度、検査領域１２中への外来電磁ノイズのノイズレベルが測定され（ステップＳ６）、その測定結果が記憶手段３４に一時的に記憶される（ステップＳ７）。
【００５２】
このような処理が、検査周波数が予め定められた測定順の周波数のうち最後の周波数になるか、測定結果が所定値の電磁ノイズレベル以下となるまで、所定回数内で繰り返し実行され、所定回数内に測定結果が所定値の電磁ノイズレベル以下とならなければ（ステップＳ９でＹＥＳの場合）、電磁ノイズ異常であることを表示、プリント又は音声その他の出力形式で報知し（ステップＳ１０）、次いで、前回の動作周波数設定処理で設定された設定周波数および検出動作周波数、若しくは測定結果のうち電磁ノイズレベルが最も低い検査周波数を、磁界発生部２２の設定周波数およびこれに対応する磁界検出部２３の検出動作周波数の設定値とする（ステップＳ１１）。
【００５３】
このような動作周波数の設定が済むと、次いで、磁界発生部２２の発生磁界強度が通常の検出動作時の出力レベルである第１のレベルに設定され（ステップＳ１２）、ワークＷについての金属検出が可能な状態となる。なお、電磁ノイズ異常の場合に、ユーザが何らかの操作入力を行なうまで、待機状態とすることもできる。
【００５４】
上述の設定が完了すると、外来ノイズの影響を抑えた検出条件下で、通常の金属検出が行なわれる。
【００５５】
本実施の形態においては、ワークＷに対する使用磁界の好ましい周波数帯域内で、前記設定周波数および検出動作周波数が測定結果を基に微調整されたものとなっているから、例えば同じ周波数帯域を使用した複数の金属検出装置が近接配置されるような場合でも、相互の干渉を抑えるべく、それら複数の金属検出装置の使用磁界周波数を少しずつ異ならせるような微調整が自動的に可能となる。
【００５６】
さらに、次のような点で、外来電磁ノイズによる金属検出装置の性能低下を防止することができる。
【００５７】
図３は、本実施形態の磁界検出部２３における検出信号の出力例を示す図であり、同図中の（ａ）は磁界検出部回路の電気ノイズ、（ｂ）はワークＷによる磁界変動検出時の出力、（ｃ）はワークＷに金属が混入しているときの磁界変動検出時の出力、（ｄ−１）は電磁ノイズの影響、例えば他の金属検出装置等と多少干渉しているときの出力、（ｄ−２）は近接はしていないが他の金属検出装置からの電磁ノイズが干渉しているときの出力、（ｄ−３）は近接する他の金属検出装置からの電磁ノイズが強く干渉しているときの出力をそれぞれ示しており、更にそれぞれの信号を直交検波した出力から得られるリサージュ波形を下方側に対応付けて図示している。
【００５８】
本実施の形態においては、同図（ｄ−１）に示すような電磁ノイズの影響をも考慮して、検出動作周波数が選択設定されるから、そのような影響をも除去して、同図（ｂ）、（ｃ）に示すようなワークＷによる磁界変動検出時の出力を良好なＳ／Ｎ比で検出することができる。同図（ｄ−２）、（ｄ−３）に示すような場合であって、検出動作周波数の選択だけではノイズの影響を抑えられないようなときには、ノイズ異常を報知することができる。
【００５９】
なお、図５（ａ）〜（ｃ）、図５（ｄ−１）〜（ｄ−３）に示す各リサージュ波形は、ハッチングを付けた円形が電磁ノイズの影響によるもの、楕円形が被検査体による磁界変動によるものであり、図５（ａ）〜（ｃ）は理想的な状態を示しているということができる。同図（ｂ）と（ｄ−１）に示す状態では、金属異物の検出信号についてのＳ／Ｎ比は同等であるが、同図（ｂ）に示す状態では、ノイズレベルが被検査体の物品影響より小さく、物品の位相特性が精度良く安定的に算出可能であるのに対して、同図（ｄ−１）に示す状態では、物品の位相特性がノイズの影響で精度良く算出できず、金属検出の安定性に欠けることとなる。同図（ｄ−２）に示す状態では、ノイズの影響が大きくなり、金属検出性能が低下している。同図（ｄ−３）に示す状態では、ノイズの影響が非常に大きくなり、金属検出信号がノイズ影響下（円形中）に埋もれてしまって金属検出ができない。
【００６０】
図４は検出動作周波数を微調整したときの、それぞれの検出動作周波数についての磁界検出部２３の検出信号出力例を示しており、図中の（ｉ）〜（ｖ）の横に記載された周波数の値が検査周波数として使用した周波数、その下の波形が測定されたノイズ検出信号の出力波形である。同図からノイズレベルが最も低いのは（ii）の９９９．８Hzのときであり、従来なら図中の（ｉ）、（ii）、（iv）、（ｖ）のような場合は識別できず、ある程度の外来電磁ノイズの影響を容認せざるを得なかったが、本実施形態では、測定結果に基づく検出動作周波数の選択とそれに対応する設定周波数の設定により、好適な検出条件の自動的な選択設定が可能となる。
【００６１】
このように、本実施形態の金属検出装置では、外来電磁ノイズの影響を複数の異なる検出動作周波数について測定し、外来電磁ノイズの影響が小さくなる周波数を選択して信号発生部２１および磁界発生部２２の設定周波数とするので、使用環境の変化等による外来電磁ノイズの変化に関わりなく、外来電磁ノイズの影響を抑えるよう検出条件の設定を自動的に好適条件に調整することができる。
【００６２】
また、専用の磁界検出手段を設けることも可能であるが、本実施形態では、そのような構成でなく、通常の金属検出に用いる磁界検出部２３および信号レベル測定部２４等を利用して検査領域１２中の電磁ノイズを測定するようにしているので、外来電磁ノイズの測定手段を低コストでかつ簡素な構成で容易に付加できることになる。
【００６３】
しかも、本実施形態の金属検出装置では、検出周波数選択手段３５が、複数の異なる検査周波数を、ワークＷの品種毎に定めた周波数範囲内で決定することから、ワークＷの品種に好適な動作周波数の帯域を予め特定しておき、その周波数帯域で外来電磁ノイズの測定を行なうことで、起動時等における動作周波数設定処理を迅速に行なうことが可能になる。
【００６４】
さらに、検出周波数選択手段３５が、複数の異なる検査周波数（検出動作周波数）のうち磁界検出部２３および信号レベル測定部２４で測定された電磁ノイズレベルが前記所定値、すなわち予め定めた許容ノイズレベル以下となる周波数を選択し、この周波数を発生磁界の設定周波数として設定するので、外来電磁ノイズの影響による金属検出性能の低下を確実に抑えることが可能となる。
【００６５】
また、上述のような設定条件の変更処理が、金属検出装置の起動時若しくは金属検出装置の動作のリセット時に行なわれるので、初期化処理の一部と並行して外来電磁ノイズの影響測定および好適な動作周波数を選択設定することができる。
【００６６】
さらに、第２の強度レベルを第１の強度レベルの１／５以下の適当なレベルに設定することで、例えば近接して配置されている金属検出機が同一周波数帯で動作していても、互いに干渉し影響を及ぼし合ったりすることなく、最適な検出動作周波数を選択・設定することができる。第２の強度レベルを実質的にゼロとすれば、金属検出装置が隣接して配置されたときでも、影響を及ぼし合うことを防止することができる。
【００６７】
[第２の実施の形態]
図５は、本発明の第２の実施の形態に係る金属検出装置の動作周波数設定処理の概略手順を示すフローチャートである。なお、本実施形態の金属検出装置の構成は上述の実施の形態とほぼ同様であるので、上述と同様な構成要素および処理については上述と同一の符号を用いて説明する。
【００６８】
図５において、まず、最初に金属検出機の動作状態が、起動ボタンが押された直後の初期設定中であるか又はリセットボタンが操作された後の再設定中であるかがチェックされ（ステップＳ１）、そのいずれかの場合であれば（ステップＳ１でＹＥＳの場合）、次いで、今回の動作周波数設定処理の後で検査されるワークＷ（被検査物）の種別情報がユーザーによる設定入力又は既設定データ（予定情報を含む）から把握されて取得され（ステップＳ２）、そのワークＷに関連する各種設定パラメータ等が記憶手段３４その他のメモリデバイスから読み込まれる（ステップＳ３）。次いで、磁界発生部２２の磁界発生強度が第２の強度レベル（通常動作レベルの１／５以下、例えば出力ゼロのレベル）に設定される（ステップＳ４）。これにより、検査領域１２中への磁界発生部２２からの磁界の影響が十分に弱く、検査領域１２中への外来電磁ノイズの影響測定が可能な状態となる。
【００６９】
次いで、ワークＷ（被検査物）の種別情報に基づいて、ワークＷ中の金属検出に適した磁界周波数の範囲が設定されるとともに、その範囲中で複数の検査周波数、例えばｆ１〜ｆｎ（ｎは１以上の整数）が設定される（ステップＳ５）。そして、その検査周波数のうち予め定められた測定順の周波数を用いて、例えば周波数の高い順に検査周波数が選択されて、その検査周波数で検査領域１２中への外来電磁ノイズのノイズレベルが測定され（ステップＳ６）、測定結果が記憶手段３４に一時的に記憶される（ステップＳ７）。
【００７０】
次いで、今回の検査周波数が予め定められた測定順の周波数のうち最後の周波数、例えば周波数ｆｎであったか否かがチェックされ（ステップＳ９）、最後の周波数でなければ（ステップＳ９でＮＯの場合）、ステップＳ５に戻って次の検査周波数の設定を行ない、その検査周波数で再度、検査領域１２中への外来電磁ノイズのノイズレベルが測定され（ステップＳ６）、その測定結果が記憶手段３４に一時的に記憶される（ステップＳ７）。
【００７１】
このような処理が、検査周波数が予め定められた測定順の周波数のうち最後の周波数になるまで所定回数繰り返し実行され、最後の周波数になると（ステップＳ９でＹＥＳの場合）測定結果のうち電磁ノイズレベルが最も低くなる検査周波数を選択して、その周波数を以後の動作周波数、すなわち発生磁界の設定周波数および検出動作周波数の設定値とする（ステップＳ２１）。
【００７２】
具体的には、例えば１ＭＨｚ帯が１つ好ましい検査周波数の周波数帯として選択され、信号レベル測定部２４が１６ｂｉｔのＡ／Ｄ変換器を用いて検出レベル値を出力する場合に、検査周波数１０００．４ｋＨｚで検出レベルが６３２、検査周波数１０００．２ｋＨｚで検出レベルが５３２、検査周波数１０００．０ｋＨｚで検出レベルが６５８、検査周波数９９９．８ｋＨｚで検出レベルが５８７、検査周波数９９９．６ｋＨｚで検出レベルが６５５といった測定結果が得られたとすると、最適な周波数はノイズ検出レベルが最低となった１０００．２ｋＨｚであり、これが以後の動作周波数の設定値となる。
【００７３】
動作周波数の設定が済むと、次いで、磁界発生部２２の発生磁界強度が通常の検出動作時の出力レベルである第１の強度レベルに設定され（ステップＳ１２）、ワークＷについての金属検出が可能な状態となる。
【００７４】
このように、本実施形態の金属検出装置も、外来電磁ノイズの影響を複数の異なる検査周波数（検出動作周波数）について測定し、外来電磁ノイズの影響が小さくなる周波数を選択し発生磁界の設定周波数として金属検出の設定条件を変更するので、上述の実施の形態と同様の効果を得ることができ、外来電磁ノイズの影響による金属検出性能の低下を確実に抑えることが可能な金属検出機を提供することができる。
【００７５】
しかも、本実施形態の金属検出装置では、検出周波数選択手段３５が、複数の異なる検査周波数のうち最低ノイズレベルとなる周波数を選択し、設定周波数および検出動作周波数として設定するので、起動時等における動作周波数設定処理をより迅速に行なうことができる。
【００７６】
なお、上述した動作周波数設定処理における測定結果を記憶手段３４に一時的に記憶した測定結果データを蓄積しておき、外来電磁ノイズの変化を経時的に比較可能な情報としたり、検出動作中における検出動作周波数および発生磁界周波数の切り替え処理のために使用したりすることができるのはいうまでもない。
【産業上の利用可能性】
【００７７】
以上説明したように、本発明は、外来電磁ノイズの影響を複数の異なる検査周波数について測定し、外来電磁ノイズの影響が小さくなる周波数を検出動作周波数として選択するので、使用環境の変化等による外来電磁ノイズの変化に関わりなく、外来電磁ノイズの影響を少なくするよう金属検出の条件設定を自動的に好適条件に調整可能な金属検出装置を提供することができるという効果を奏するものであり、交番磁界を用いて被検査体中の金属を検出する金属検出装置、特に搬送されあるいは自重で移動する製品中への金属異物の混入検出等に好適であり、外来電磁ノイズによる影響の少ない検出動作条件を定期的に設定する必要のある金属検出型の検査装置あるいは検査方法およびプログラムにも有用である。
【図面の簡単な説明】
【００７８】
【図１】本発明の第１の実施の形態に係る金属検出装置の概略構成を示すブロック図である。
【図２】本発明の第１の実施の形態に係る金属検出装置の動作周波数設定処理の概略手順を示すフローチャートである。
【図３】本発明の第１の実施の形態に係る金属検出装置の磁界検出部におけるノイズやワークによる磁界変動時、金属検出機同士の干渉時等の検出信号を例示する検出信号波形図である。
【図４】本発明の第１の実施の形態に係る金属検出装置の磁界検出部における複数の異なる検出動作周波数とその周波数でのノイズ検出信号を例示する検出信号波形図である。
【図５】本発明の第２の実施の形態に係る金属検出装置の動作周波数設定処理の概略手順を示すフローチャートである。
【符号の説明】
【００７９】
１２    検査領域
１３    ワーク検知センサ
２０    検出部
２１    信号発生部
２２    磁界発生部（磁界発生手段）
２３    磁界検出部（磁界検出手段）
２４    信号レベル測定部
２６    金属有無判定部（判定手段）
２７    表示部
２８    選別部
３０    検出条件制御回路
３１    振幅設定手段（磁界制御手段）
３２    検出周波数設定手段（周波数選択設定手段）
３３    磁界検出部制御手段
３４    記憶手段
３５    検出周波数選択手段（周波数選択設定手段）
４０    測定手段
【図１】
2006064642.tif 000003
【図２】
2006064642.tif 000004
【図３】
2006064642.tif 000005
【図４】
2006064642.tif 000006
【図５】
2006064642.tif 000007